(57)【要約】      （修正有）【課題】補助建具枠の面内方向寸法が所定の寸法よりも大きい場合、小さい場合、所定の寸法の場合でも、補助建具を建具枠に安定して取り付けできる補助建具付き建具とする。【解決手段】建具枠１の一方の縦枠１０に設けた支持凹部３１に、補助建具枠（網戸枠２ａ）の一方の縦框２０に設けた支持突部３２を嵌め合わせて面外方向に動かないようにし、前記縦枠１０に設けた引掛け突部４１と前記縦框２０に設けた引掛け凹部４２を引掛け合わせて面外方向に動かないようにし、前記縦框２０が縦枠１０に接近する方向に移動すると前記支持凹部３１と支持突部３２の嵌まり合い代が大きくなって、その部分で面外方向に動かないようにしっかりと支持し、離隔する方向に移動すると前記引掛け突部４１と引掛け凹部４２の引掛け代が大きくなって、その部分で面外方向に動かないようにしっかりと支持する。【選択図】図４
2011026797.tif 000002
【特許請求の範囲】
【請求項１】
建具枠に補助建具を取り付けた補助建具付き建具であって、
前記補助建具の補助建具枠の一方の縦框を、前記建具枠の一方の縦枠に、面外方向に離隔した支持部と引掛け部とで面外方向に動かないように支持し、
前記補助建具枠の他方の縦框を、前記建具枠の他方の縦枠に固着具で固着して取り付け、
前記支持部は、前記縦枠と縦框のいずれか一方に設けた面内方向に開口した支持凹部と、いずれか他方に設けた面内方向に突出した支持突部を有し、その支持凹部に支持突部が面外方向に動かないように嵌まり合うと共に、その嵌まり合い代は、前記縦框が前記縦枠に接近する方向に移動すると大きくなり、離隔する方向に移動すると小さくなるようにし、
前記引掛け部は、前記縦枠と縦框のいずれか一方に設けた面内方向に突出した引掛け突部と、いずれか他方に設けた面内方向に開口した引掛け凹部を有し、その引掛け突部と引掛け凹部が面外方向に動かないように引掛け合うと共に、その引掛け代は、前記縦框が前記縦枠に接近する方向に移動すると小さくなり、離隔する方向に移動すると大きくなるようにしたことを特徴とする補助建具付き建具。
【請求項２】
前記支持部よりも引掛け部が面外方向一側寄りとし、
前記縦枠に、その縦枠の面内方向内側面から面内方向内側に向けて突出した面外方向に離隔した第１支持片と第２支持片を設け、この第１支持片と第２支持片との間を前記支持凹部とし、
前記第１支持片が第２支持片よりも面外方向一側寄りに位置し、第１支持片の突出寸法よりも第２支持片の突出寸法を大きくし、
前記縦框の面外方向他側寄りに、前記第１支持片と第２支持片との間に嵌まり合う被支持片を、その縦框の面内方向外側面よりも面外方向外側に向けて突出して設け、この被支持片を前記支持突部とし、
前記縦枠の面内方向内側面に、内向片と折曲片と外向片でほぼ鉤形状で、その外向片が引掛け突部である引掛け受片を設け、この引掛け受片と前記縦枠の面内方向内側面との間に面内方向一側に開口した凹陥部を形成し、
前記縦框の面外方向一側寄りに、外向片と折曲片と内向片でほぼ鉤形状で、その内向片と折曲片と外向片とで前述の引掛け凹部を形成した引掛け片を、前記被支持片の先端面が前記第２支持片の面外方向一側面に当接したときに、その引掛け片の内向片が前記凹陥部に入り込むように設けた請求項１記載の補助建具付き建具。
【請求項３】
前記第１支持片と引掛け受片を縦枠と別体とし、それらを縦枠の面内方向内側面に固着具で固着して取り付け、
前記第２支持片を、縦枠に設けた内向片とした請求項２記載の補助建具付き建具。
【請求項４】
取付片に、前記第１支持片と引掛け受片を一体に設けてアタッチメントとし、
このアタッチメントの取付片を、縦枠の面内方向内側面に固着具で固着することで第１支持片と引掛け受片を取り付けるようにした請求項３記載の補助建具付き建具。
【請求項５】
前記第１支持片と第２支持片と引掛け受片を縦枠と別体とし、それらを縦枠の面内方向内側面に固着具で固着して取り付けた請求項２記載の補助建具付き建具。
【請求項６】
取付片に、前記第１支持片と第２支持片と引掛け受片を一体に設けてアタッチメントとし、
このアタッチメントの取付片を、縦枠の面内方向内側面に固着具で固着することで、第１支持片と第２支持片と引掛け受片を取り付けるようにした請求項５記載の補助建具付き建具。
【発明の詳細な説明】
【技術分野】
【０００１】
本発明は、建具枠に、ロール網戸、網戸、ガラリ等の補助建具を取り付けた補助建具付き建具に関する。
【背景技術】
【０００２】
従来、補助建具としては特許文献１に開示したように、網戸収納枠と戸当り枠と上ガイド枠と下ガイド枠を方形状に連結した網戸枠と、前記網戸収納枠に巻き取り、繰り出し自在に収納した防虫網と、前記上下ガイド枠に沿って移動自在な可動框を備え、前記防虫網の先端縁を可動框に連結し、その可動框を上下ガイド枠に沿って移動することで防虫網を繰り出し、巻き取りするようにしたロール網戸が知られている。
【０００３】
そして、前記補助建具を建具枠に取り付けるには、前述した特許文献１では次のようにしている。
障子を装着した建具枠（窓枠）の一方の縦枠に、引掛け部材を固着して取り付け、この引掛け部材に、前記網戸枠の網戸収納枠に設けた被引掛け部を引っ掛けて面外方向に動かないように支持すると共に、網戸枠の戸当り枠を建具枠の他方の縦枠にネジで固着して取り付けることで、補助建具を建具枠に取り付けている。
【先行技術文献】
【特許文献】
【０００４】
【特許文献１】特開２００７−５６４４７号公報
【発明の概要】
【発明が解決しようとする課題】
【０００５】
前述した補助建具の取り付けであれば、網戸枠の網戸収納枠側を引掛けると共に、戸当り枠をネジで固着すれば良いので、その補助建具を容易に取り付けできる。
前記網戸枠の面内方向寸法は、加工誤差や組立誤差などによって所定の寸法よりも大きい場合や、小さい場合がある。
前述した従来の補助建具の取り付けであると、引掛け部材と被引掛け部の面内方向の引掛け代（面内方向の寸法）に相当するだけ網戸枠の面内方向寸法の誤差に対応することが可能であるが、面内方向寸法が所定の寸法よりも大きい網戸枠の場合には、前記引掛け部材と被引掛け部の引掛け代が小さくなり、網戸収納枠が一方の縦枠から外れる恐れがあり、補助建具の取り付けが不安定である。
【０００６】
しかも、前述した従来の補助建具の取り付けであれば、前述したように、網戸収納枠の１つの被引掛け部と一方の縦枠に固着した１つの引掛け部材の引掛け部分によってのみ網戸収納枠（網戸枠の面内方向一側部）が、一方の縦枠（建具枠の面内方向一側部）に対して面外方向に動かないように支持しているので、面内方向寸法が所定の寸法である網戸枠の場合でも、その支持が不十分で網戸収納枠が一方の縦枠から外れる恐れがあり、補助建具の取り付けが不安定である。
【０００７】
本発明の目的は、補助建具を建具枠に容易に取り付けできると共に、補助建具枠の面内方向寸法が所定の寸法よりも大きい場合、小さい場合、所定の寸法の場合でも補助建具を建具枠に安定して取り付けできるようにした補助建具付き建具とすることである。
【課題を解決するための手段】
【０００８】
本発明は、建具枠に補助建具を取り付けた補助建具付き建具であって、
前記補助建具の補助建具枠の一方の縦框を、前記建具枠の一方の縦枠に、面外方向に離隔した支持部と引掛け部とで面外方向に動かないように支持し、
前記補助建具枠の他方の縦框を、前記建具枠の他方の縦枠に固着具で固着して取り付け、
前記支持部は、前記縦枠と縦框のいずれか一方に設けた面内方向に開口した支持凹部と、いずれか他方に設けた面内方向に突出した支持突部を有し、その支持凹部に支持突部が面外方向に動かないように嵌まり合うと共に、その嵌まり合い代は、前記縦框が前記縦枠に接近する方向に移動すると大きくなり、離隔する方向に移動すると小さくなるようにし、
前記引掛け部は、前記縦枠と縦框のいずれか一方に設けた面内方向に突出した引掛け突部と、いずれか他方に設けた面内方向に開口した引掛け凹部を有し、その引掛け突部と引掛け凹部が面外方向に動かないように引掛け合うと共に、その引掛け代は、前記縦框が前記縦枠に接近する方向に移動すると小さくなり、離隔する方向に移動すると大きくなるようにしたことを特徴とする補助建具付き建具である。
【０００９】
本発明においては、前記支持部よりも引掛け部が面外方向一側寄りとし、
前記縦枠に、その縦枠の面内方向内側面から面内方向内側に向けて突出した面外方向に離隔した第１支持片と第２支持片を設け、この第１支持片と第２支持片との間を前記支持凹部とし、
前記第１支持片が第２支持片よりも面外方向一側寄りに位置し、第１支持片の突出寸法よりも第２支持片の突出寸法を大きくし、
前記縦框の面外方向他側寄りに、前記第１支持片と第２支持片との間に嵌まり合う被支持片を、その縦框の面内方向外側面よりも面外方向外側に向けて突出して設け、この被支持片を前記支持突部とし、
前記縦枠の面内方向内側面に、内向片と折曲片と外向片でほぼ鉤形状で、その外向片が引掛け突部である引掛け受片を設け、この引掛け受片と前記縦枠の面内方向内側面との間に面内方向一側に開口した凹陥部を形成し、
前記縦框の面外方向一側寄りに、外向片と折曲片と内向片でほぼ鉤形状で、その内向片と折曲片と外向片とで前述の引掛け凹部を形成した引掛け片を、前記被支持片の先端面が前記第２支持片の面外方向一側面に当接したときに、その引掛け片の内向片が前記凹陥部に入り込むように設けることができる。
このようにすれば、補助建具枠を面外方向に斜めの姿勢とし、被支持片の先端面を第２支持片の面内方向一側面に当接すると共に、引掛け片の内向片を凹陥部内に入り込ませ、その状態で補助建具枠を面外方向に回動することで、被支持片を第１・第２支持片間に嵌まり合い、引掛け片の引掛け凹部を引掛け受片の引掛け突部に引っ掛け合うことができると共に、他方の縦框の面外方向外側面を他方の縦枠の面内方向内側面に接することができる。
したがって、建具枠に補助建具枠を簡単に取り付けできる。
【００１０】
本発明においては、前記第１支持片と引掛け受片を縦枠と別体とし、それらを縦枠の面内方向内側面に固着具で固着して取り付け、
前記第２支持片を、縦枠に設けた内向片とすることができる。
このようにすれば、内向片を有した縦枠を、建具枠の一方の縦枠と他方の縦枠として兼用することができる。
【００１１】
本発明においては、取付片に、前記第１支持片と引掛け受片を一体に設けてアタッチメントとし、
このアタッチメントの取付片を、縦枠の面内方向内側面に固着具で固着することで第１支持片と引掛け受片を取り付けるようにできる。
このようにすれば、第１支持片と引掛け受片を簡単に取り付けできる。
【００１２】
本発明においては、前記第１支持片と第２支持片と引掛け受片を縦枠と別体とし、それらを縦枠の面内方向内側面に固着具で固着して取り付けることができる。
このようにすれば、内向片を有しない縦枠、または内向片を第２支持片として利用できない縦枠を、建具枠の一方の縦枠と他方の縦枠として兼用することができる。
【００１３】
本発明においては、取付片に、前記第１支持片と第２支持片と引掛け受片を一体に設けてアタッチメントとし、
このアタッチメントの取付片を、縦枠の面内方向内側面に固着具で固着することで、第１支持片と第２支持片と引掛け受片を取り付けるようにできる。
このようにすれば、第１支持片と第２支持片と引掛け受片を簡単に取り付けできる。
【発明の効果】
【００１４】
本発明によれば、補助建具枠の一方の縦框を建具枠の一方の縦枠に支持部、引掛け部で面外方向に動かないように支持し、他方の縦框を他方の縦枠に固着具で固着して取り付けることで、補助建具枠を建具枠に取り付けできるから、補助建具を建具枠に簡単に取り付けできる。
しかも、補助建具枠の面内方向寸法が所定の寸法よりも大きい場合には、支持凹部と支持突部の嵌まり合い代が大きく、その部分で面外方向に動かないようにしっかり支持し、小さい場合には引掛け突部と引掛け凹部の引掛け代が大きく、その部分で面外方向に動かないようにしっかり支持し、所定の寸法である場合には支持部と引掛け部の両方で面外方向に動かないように支持するから、補助建具枠の面内方向寸法が所定の寸法よりも大きい場合、小さい場合、所定の寸法の場合でも補助建具を建具枠に安定して取り付けできる。
【図面の簡単な説明】
【００１５】
【図１】本発明の実施の形態を示す補助建具付き建具の内観図である。
【図２】図１のＡ−Ａ拡大断面図である。
【図３】図１のＢ−Ｂ拡大断面図である。
【図４】図３における支持部、引掛け部を設けた部分の拡大図である。
【図５】網戸枠の面内方向寸法が大きい場合の支持部、引掛け部の支持状態の説明図である。
【図６】網戸枠の面内方向寸法が小さい場合の支持部、引掛け部の支持状態の説明図である。
【図７】補助建具の取り付け動作説明図である。
【図８】アタッチメントの他の実施の形態を示す支持部、引掛け部を設けた部分の拡大断面図である。
【発明を実施するための形態】
【００１６】
図１に示すように、建具枠１に補助建具２を取り付けて補助建具付き建具としてある。
前記建具枠１は、面内方向一方の縦枠１０と他方の縦枠１１と上横枠１２と下横枠１３を方形状に連結してある。前記一方の縦框１０が建具枠１の面内方向一側部で、他方の縦框１１が面内方向他端部である。
【００１７】
前記補助建具２は、網戸枠２ａと防虫網２ｂを備えたロール網戸で、その網戸枠２ａが補助建具２の補助建具枠である。
前記網戸枠２ａは、面内方向一方の縦框２０と他方の縦框２１と上横框２２と下横框２３を方形状に連結し、その上横框２２と下横框２３に沿って可動框２４が面内方向に移動自在に設けてある。前記上下横框２２，２３が上下ガイド框である。
前記防虫網２ｂは一方の縦框２０内に巻き取り、繰り出し自在に収納され、その先端縁が可動框２４に連結してある。
これにより、一方の縦框２０が網戸収納框で、網戸枠２ａの面内方向一側部で、他方の縦框２１が戸先框で、網戸枠２ａの面内方向他側部である。
【００１８】
前記防虫網２ｂは他方の縦框２１に巻き取り、繰り出し自在に収納しても良い。
また、一方の縦框２０と他方の縦框２１に２つの防虫網２ｂを巻き取り、繰り出し自在にそれぞれ収納し、可動框２４を２つ設け、その各可動框２４に各防虫網２ｂの先端縁をそれぞれ連結するようにしても良い。
この場合には、２つの可動框２４を突き当てて網戸枠２ａを２つの防虫網２ｂで閉塞する。
前述の説明において、面内方向とは図１において左右方向で、上横枠１２、上横框２２、下横枠１３、下横框２３の長手方向である。
前記補助建具２はロール網戸に限ることはなく、例えば、網戸、ガラリなどでも良い。
【００１９】
図２と図３に示すように、前記建具枠１に障子３が開閉自在に装着されている。例えば、障子３を縦すべり出し自在に装着して縦すべり出し窓としてある。
前記一方の縦枠１０、他方の縦枠１１、上横枠１２の面内方向の内側面１０ａ，１１ａ，１２ａには内向片１０ｂ，１１ｂ，１２ｂが設けてあり、下横枠１３の面内方向の内側面１３ａは階段形状に折曲して縦向面１３ｂを有している。
前記各内向片１０ｂ，１１ｂ，１２ｂと縦向面１３ｂは面外方向に同一位置で、四周連続していると共に、気密材１０ｃ，１１ｃ，１２ｃ，１３ｃが面外方向他側に向けて四周連続して装着してある。
前記障子３は、前記各内向片１０ｂ，１１ｂ，１２ｂ、縦向面１３ｂよりも面外方向他側寄りに装着され、その障子３を閉じ姿勢とすることで前記各気密材１０ｃ，１１ｃ，１２ｃ，１３ｃに圧接して建具枠１と障子３との間を気密する。
【００２０】
前記一方の縦框２０は図３に示すように、框本体２０ａとカバー２０ｂで中空形状で、その内部に巻取軸２５が設けてあり、その巻取軸２５に防虫網２ｂの基端縁が巻き取り、繰り出し自在に連結してある。
前記上横框２２、下横框２３は図２に示すように上ガイド２２ａ、下ガイド２３ａを有し、可動框２４の上部、下部が上ガイド２２ａ、下ガイド２３ａに沿って移動自在にガイドされる。
前記補助建具２は、建具枠１における障子３よりも面外方向一側寄り、例えば室内側寄りに取り付けられ、補助建具２（網戸枠２ａ）は建具枠１の面外方向一側面（例えば、室内側面）１ａよりも面外方向一側に突出している。
図２、図３においては、補助建具２は建具枠１の内向片１０ｂ，１１ｂ，１２ｂ、縦向面１３ｂよりも面外方向一側寄りに取り付けてある。
【００２１】
前記網戸枠２ａの一方の縦框２０が建具枠１の一方の縦枠１０、つまり建具枠１の面内方向一側部に、支持部３０と引掛け部４０で面外方向に動かないように支持されている。
この支持部３０と引掛け部４０は面外方向に離隔している。図３においては支持部３０よりも引掛け部４０が面外方向一側寄りである。
前記網戸枠２ａの他方の縦框２１が建具枠１の他方の縦枠１１、つまり建具枠１の面内方向他側部に固着具、例えばビス２６で固着して取り付けてある。
具体的には、他方の縦枠１１の面内方向の内側面１１ａに、他方の縦框２１の面内方向の外側面２１ａを接し、ビス２６で固着して取り付けてある。
前記下横框２３は下横枠１３の上面にスペーサ１３ｄを介して接している。
前記上横框２２は上横枠１２の内向片１２ｂの面外方向一側面、例えば室内側面に接している。
【００２２】
次に、前記支持部３０と引掛け部４０について説明する。
図４に示すように、建具枠１の一方の縦枠１０と網戸枠２ａの一方の縦框２０のいずれか一方に設けた支持凹部３１と、前記いずれか他方に設けた支持突部３２で支持部３０を形成している。
前記支持凹部３１は面内方向に向けて開口していると共に、支持突部３２も面内方向に向けて突出している。
前記支持凹部３１と支持突部３２は面外方向に動かないように嵌まり合い、一方の縦框２０を一方の縦枠１０に対して面外方向に動かないように支持する。
【００２３】
前記支持凹部３１と支持突部３２が嵌まり合った状態で、一方の縦框２０が一方の縦枠１０に接近する方向に移動すると、支持凹部３１と支持突部３２の嵌まり合い代（支持凹部３１と支持突部３２の重なり合う面内方向の寸法）が大きくなり、前記一方の縦框２０が一方の縦枠１０から離隔する方向に移動すると、支持凹部３１と支持突部３２の嵌まり合い代が小さくなる。
【００２４】
図４に示すように、建具枠１の一方の縦枠１０と網戸枠２ａの一方の縦框２０のいずれか一方に設けた引掛け突部４１と、前記いずれか他方に設けた引掛け凹部４２で引掛け部４０を形成している。
前記引掛け突部４１は面内方向に向けて突出し、引掛け凹部４２は面内方向に開口している。
前記引掛け突部４１と引掛け凹部４２は面外方向に動かないように引掛け合い、一方の縦框２０を一方の縦枠１０に対して面外方向に動かないように支持する。
【００２５】
前記引掛け突部４１と引掛け凹部４２が引掛け合った状態で、一方の縦框２０が一方の縦枠１０に接近する方向に移動すると引掛け突部４１と引掛け凹部４２の引掛け代（引掛け突部４１と引掛け凹部４２が重なり合う面内方向の寸法）が小さくなり、前記一方の縦框２０が一方の縦枠１０から離隔する方向に移動すると、引掛け突部４１と引掛け凹部４２の引掛け代が大きくなる。
【００２６】
このようであるから、網戸枠２ａの面内方向寸法が所定の場合には、支持部３０、引掛け部４０は図４に示す状態となり、支持凹部３１と支持突部３２の嵌まり合い代が中間の値で、引掛け突部４１と引掛け凹部４２の引掛け代が中間の値となるので、一方の縦框２０を、支持部３０と引掛け部４０の両方で一方の縦枠１０に対して面外方向に動かないようにそれぞれ支持する。
【００２７】
したがって、一方の縦框２０を一方の縦枠１０に対して面外方向に動かないようにしっかりと支持し、一方の縦框２０が一方の縦枠１０から外れることがないので、網戸枠２ａの面内方向寸法が所定の寸法の場合に、補助建具２を建具枠１に安定して取り付けできる。
【００２８】
前記網戸枠２ａの面内方向寸法が所定の寸法よりも大きい場合には、一方の縦框２０は一方の縦枠１０に接近する方向に移動するので、支持部３０と引掛け部４０は図５に示す状態となり、支持凹部３１と支持突部３２の嵌まり合い代が大きい値で、引掛け突部４１と引掛け凹部４２の引掛け代が小さい値となるので、一方の縦框２０が一方の縦框１０に対して面外方向に動かないように、主として支持部３０によってしっかりと支持する。
【００２９】
したがって、網戸枠２ａの面内方向寸法が所定の寸法よりも大きい場合に、補助建具２を建具枠１に安定して取り付けできる。
【００３０】
前記網戸枠２ａの面内方向寸法が所定の寸法よりも小さい場合には、一方の縦框２０は一方の縦枠１０から離隔する方向に移動するので、支持部３０と引掛け部４０は図６に示す状態となり、支持凹部３１と支持突部３２の嵌まり合い代が小さい値で、引掛け突部４１と引掛け凹部４２の引掛け代が大きい値となるので、一方の縦框２０が一方の縦框１０に対して面外方向に動かないように、主として引掛け部４０によってしっかりと支持する。
【００３１】
したがって、網戸枠２ａの面内方向寸法が所定の寸法よりも小さい場合に、補助建具２を建具枠１に安定して取り付けできる。
【００３２】
次に、前述の支持部３０の具体例を説明する。
図４に示すように、建具枠１の一方の縦枠１０に第１支持片３３と第２支持片３４を面外方向に離隔して設け、この第１支持片３３と第２支持変３４との間を支持凹部３１とする。
この第１・第２支持片３３，３４は面内方向の内側に向けて突出している。つまり、前記一方の縦枠１０の面内方向内側面１０ａから他方の縦枠１１の面内方向内側面１１ａに向けて面内方向に突出している。
前記第１支持片３３は、第２支持片３４よりも面外方向一側寄りで、この第２支持片３４の面内方向寸法（つまり、突出寸法）が第１支持片３３の面内方向寸法（突出寸法）よりも長く、第２支持片３４は第１支持片３３の先端面３３ａよりも面内方向内側に突出している。
【００３３】
前記網戸枠２ａの一方の縦框２０には被支持片３５が面内方向の外側に向けて設けてあり、この被支持片３５が前述の支持突部３２である。
つまり、前記一方の縦框２０（本体２０ａ）の面外方向他側寄りに被支持片３５が一体的に設けてあり、この被支持片３５は、一方の縦框２０の面内方向外側面（他方の縦框２１と対向した面と反対側の面）２０ｃよりも面内方向外側に突出し、この被支持片３５は一方の縦枠１０の面内方向内側面１０ａに向かうようにしてある。
【００３４】
前記被支持片３５を前記第１支持片３３と第２支持片３４との間（支持凹部３１）に嵌め込むことで、その被支持片３５が面外方向に動かないように第１・第２支持片３３，３４で支持する。
【００３５】
次に、前述の引掛け部４０の具体例を説明する。
図４に示すように、建具枠１の一方の縦枠１０の面内方向内側面１０ａに引掛け受片４３が設けてある。
この引掛け受片４３は、一方の縦枠１０の面内方向内側面１０ａから面内方向内側に向かう内向片４３ａと、この内向片４３ａの面内方向内側端部と連続し、面外方向一側に向かう折曲片４３ｂと、この折曲片４３ｂの面外方向一側端部と連続し、面内方向外側に向かう外向片４３ｃでほぼ鉤形状で、その外向片４３ｃが前述の引掛け突部４１である。
前記引掛け受片４３の外向片４３ｃ（引掛け突部４１）の面内方向外側端面と縦枠１０の面内方向内側面１０ａとは離隔し、この引掛け受片４３と縦枠１０の面内方向内側面１０ａとで面外方向一側に開口した凹陥部４４を形成している。
【００３６】
前記網戸枠２ａの一方の縦框２０には引掛け片４５が設けてある。この引掛け片４５は前記一方の縦框２０の面内方向外側面２０ｃにおける前記被支持片３５よりも面外方向一側寄りに設けてある。
前記引掛け片４５は、一方の縦框２０の面内方向外側面２０ｃから面内方向外側に向かう外向片４５ａと、この外向片４５ａの面内方向外側端部と連続し面外方向他側に向かう折曲片４５ｂと、この折り曲片４５ｂの面外方向他側端部と連続し面内方向内側に向かう内向片４５ｃでほぼ鉤形状で、その内向片４５ｃと折曲片４５ｂと外向片４５ａの面内方向外側寄り部分とで前述の引掛け凹部４２としてある。
そして、前記引掛け片４５の内向片４５ｃが前述の凹陥部４４内に入り込み、その内向片４５ｃが引掛け受片４３の外向片４３ｃと引掛け合うことで、一方の縦框２０が一方の縦枠１０に対して面外方向に動かないように支持する。
前記外向片４３ｃと内向片４５ｃの引掛け合う面内方向に向かう面は、面外方向に斜めの傾斜面となっている。
【００３７】
次に、網戸枠２の取り付けについて説明する。
図７に示すように、網戸枠２を面外方向に斜めの姿勢とする。例えば、面外方向と直角な姿勢に対して一方の縦框２０よりも他方の縦框２１が面外方向一側寄りとなるように面外方向に斜めの姿勢とする。
この姿勢で、前述の被支持片３５の先端面３５ａを第２支持片３４の面外方向一側面（室内側面）３４ａに当接すると共に、引掛け片４５の内向片４５ｃを凹陥部４４内に入り込ませる。
【００３８】
前述した状態から、網戸枠２ａを面外方向他側に向けて矢印ａで示すように回動しながら、前記被支持片３５を第２支持片３４の面外方向一側面３４ａに沿ってスライドさせることで、図４に示すように、その被支持片３５を支持凹部３１に嵌め合わせると共に、引掛け片４５の内向片４５ｃを引掛け受片４３の外向片４３ｃに係合して引掛け突部４１と引掛け凹部４２を引掛け合うことで、一方の縦框２０を一方の縦枠１０に面外方向に動かないように支持する。
【００３９】
これと同時に、図３に示すように他方の縦框２１の面内方向外側面２１ａが他方の縦枠１１の面内方向内側面１１ａに当接する。
そして、他方の縦框２１を他方の縦枠１１にビス２６で固着して網戸枠２ａを建具枠１に取り付ける。
【００４０】
このようであるから、網戸枠２ａを面外方向に斜めの姿勢から面外方向他側に向けて回動することで、支持凹部３１と支持突部３２を嵌め合うと共に、引掛け突部４１と引掛け凹部４２を引掛け合うことができ、しかも他方の縦框２１の面外方向外側面２１ａを他方の縦枠１１の面内方向内側面１１ａに接することができる。
したがって、網戸枠２ａの取り付けがより一層簡単である。
【００４１】
つまり、網戸枠２ａを建具枠１に取り付けた状態では、支持凹部３１と支持突部３２、引掛け突部４１と引掛け凹部４２が面内方向に重なり合うので、網戸枠２ａを面外方向に平行移動して取り付ける場合には、他方の縦框２１の面内方向外側面２１ａと他方の縦枠１１の面内方向内側面１１ａとの間に隙間を形成し、網戸枠２ａを面内方向にけんどん式に取り付けることになるから、他方の縦框２１と他方の縦枠１１との間にスペーサを入れてビスで固着することになる。
これに対して、前述のようにして取り付ければ、スペーサが不要であるから、取り付けが簡単である。
【００４２】
図４に示すように、前記支持部３０の第１支持片３３と、前記引掛け部４０の引掛け受片４３は一方の縦枠１０と別部材で、一方の縦枠１０に固着具、例えばビス５０で取り付けてある。
例えば、取付片５１に第１支持片３３と引掛け受片４３を設けてアタッチメント５２とし、その取付片５１を、一方の縦枠１０の面内方向内側面１０ａにビス５０で固着して取り付ける。なお、第１支持片３３と引掛け受片４３をそれぞれビスで固着して取り付けても良い。
前記支持部３０の第２支持片３４を、一方の縦枠１０の面内方向内側面１０ａに設けた内向片、例えば、気密材装着用の内向片１０ｂと兼用としてある。この内向片は気密材を装着しないものでも良い。
【００４３】
このようにすることで、一方の縦枠１０と他方の縦枠１１を同一断面形状にできるから、内向片、例えば、気密材装着用の内向片を有した縦枠を、建具枠１の一方の縦枠１０と他方の縦枠１１として兼用できる。
【００４４】
建具枠の種類によっては縦枠に内向片、例えば、気密材装着用の内向片を有していない場合や、その内向片を第２支持片として利用できない場合もあるが、そのような場合には、第１支持片３３、第２支持片３４、引掛け受片４３を縦枠１０と別体とし、ビスなどで固着して取り付ければ良い。
例えば、図８に示すように、取付片５１に第１支持片３３、第２支持片３４、引掛け受片４３を一体に設けたアタッチメント５２とし、その取付片５１を一方の縦枠１０の面内方向内側面１０ａにビス５０で固着して取り付ける。なお、第１支持片３３、第２支持片３４、引掛け受片４３を別々としてビスでそれぞれ固着して取り付けても良い。
【００４５】
このようにすれば、内向片、例えば、気密材装着用の内向片を有しない縦枠や、その内向片を第２支持片として利用できない縦枠を、建具枠１の一方の縦枠１０と他方の縦枠１１に兼用することができる。
【００４６】
なお、図示は省略するが、第１支持片３３、第２支持片３４、引掛け受片４３を縦枠１０の面内方向内側面１０ａに一体に設けても良い。
【００４７】
前述の説明では、面外方向一側を室内側、面外方向他側を室外側としたが、面外方向一側を室外側、面外方向他側を室内側としても良い。
また、支持凹部３１、引掛け突部４１を縦枠１０に設け、支持突部３２、引掛け凹部４２を縦框２０に設けたが、縦框２０に支持凹部３１、引掛け突部４１を設け、縦枠１０に支持突部３２、引掛け凹部４２を設けても良い。
【符号の説明】
【００４８】
１…建具枠、２…補助建具、２ａ…網戸枠（補助建具枠）、２ｂ…防虫網、３…障子、１０…一方の縦枠、１０ａ…面内方向内側面、１１…他方の縦枠、１１ａ…面内方向内側面、２０…一方の縦框、２０ｃ…面外方向外側面、２１…他方の縦框、２１ａ…面外方向外側面、２６…ビス（固着具）、３０…支持部、３１…支持凹部、３２…支持突部、３３…第１支持片、３４…第２支持片（内向片）、３５…被支持片、４０…引掛け部、４１…引掛け突部、４２…引掛け凹部、４３…引掛け受片、４４…凹陥部、４５…引掛け片、５０…ビス（固着具）、５１…取付片、５２…アタッチメント。
【図１】
2011026797.tif 000003
【図２】
2011026797.tif 000004
【図３】
2011026797.tif 000005
【図４】
2011026797.tif 000006
【図５】
2011026797.tif 000007
【図６】
2011026797.tif 000008
【図７】
2011026797.tif 000009
【図８】
2011026797.tif 000010